(57)【要約】【課題】低コストを実現し、走行コンピュータ制御に影響を受けないＬＥＤ視覚効果を具えた電球式カーライトを提供する。【解決手段】ライト台１の内部には電球２が設置されている。電球２には、ライトフレーム３が被せられ、ライト台１に設置される。また、ライト外枠体４は、ライト台１に被せられる。そして、ライトフレーム３に貫設された複数個の穿孔３１の内部には、球体状の透明材質からなる透光体５が設置される。これにより、電球２の光線には、ＬＥＤ視覚効果が発揮される。【選択図】図１
0003128143.tif 000002
【実用新案登録請求の範囲】
【請求項１】
ライト台と、
ライト台上に設置する電球と、
電球に被せ、更にライト台に設置し、複数個の穿孔を貫設するライトフレームと、
ライト台に設置するライト外枠体と、を備えるＬＥＤ視覚効果のある電球式カーライトにおいて、
ライトフレームの穿孔に透光体が設置され、透光体は透明材質であり、球体状であることを特徴とする電球式カーライト。
【請求項２】
前記ライトフレームの穿孔は、周辺に錐形状壁面が設置されていることを特徴とする請求項１に記載の電球式カーライト。
【請求項３】
前記透光体は、薄枠カバー体であることを特徴とする請求項１に記載の電球式カーライト。
【請求項４】
前記透光体は、係止部品、もしくは点はんだ式または固定式であることを特徴とする請求項１に記載の電球式カーライト。
【考案の詳細な説明】
【技術分野】
【０００１】
本考案は、ＬＥＤ視覚効果を具えた電球式カーライトに関し、特に電球の光線にＬＥＤ視覚効果を有し、改造カーライトに応用される電球式のカーライトに関する。
【背景技術】
【０００２】
一般のカーライトの工場では現在も電球を使用し、更に走行の安全性及び快適性の為、コンピュータ制御の部品及び関連部品により、自動調整を行っている。また、コンピュータによる制御時の標準は各部品の常態出力値（正常は工場出荷時の設定値とする）基準とし、その中にはカーライトの電圧と電流の大きさを含む。
現在、ＬＥＤ、例えばＬＥＤの交通標識灯、建築物裝飾灯等は普及してきており、改造したカーライトにもＬＥＤ構造の使用が出現している。このＬＥＤカーライトの構造は、図７に示すとおり、カーライトのライト台Ａ上にパネル板Ｂの蓋をし、更にパネル板Ｂ上にＬＥＤ（Ｂ1）を設置する。続いてライト台Ａの外カバーにはライト外枠体Ｃを設置する。但し改造したＬＥＤカーライトは工場出荷時の既定電圧及び電流?が異なるため、工場出荷時のコンピュータの設定も設定しなおさなければならない。
【考案の開示】
【考案が解決しようとする課題】
【０００３】
解決しようとする問題点は、下述のとおりである。
（１）使用するＬＥＤの交換コストが高い。
（２）ＬＥＤを使用すると、コンピュータ制御に影響する問題がある。
【課題を解決するための手段】
【０００４】
本考案は、ライト台内に電球を設置し、ライトフレームを電球に被せてライト台に設置する。またライト外枠体をライト台に被せ、ライトフレームに貫設した複数個の穿孔内に球体状透明材質の透光体を設置し、電球の光線にＬＥＤ視覚効果を形成させることを最も主要な特徴とする。
（考案の効果）
本考案のＬＥＤ視覚効果を具えた電球式カーライトは、下述の利点がある。
（１）本考案は透光体の集光性により、電球を照射した時、ＬＥＤと同じ視覚効果を具える。 
（２）本考案はコストを下げる。
（３）本考案は車のコンピュータ制御を変更する必要がなく、走行コンピュータ制御は影響を受けない。
【考案を実施するための最良の形態】
【０００５】
本考案の第１実施例によるＬＥＤ視覚効果を具えた電球式カーライトは、電球の光線をライトフレームの球体状透光体に投射することによって、ＬＥＤのような視覚効果を具え、改造したカーライトがＬＥＤの視覚効果を具え、且つ走行コンピュータ制御に影響する問題を解決する。
また、本考案の第１実施例によるＬＥＤ視覚効果を具えた電球式カーライトは、ライト台、電球、ライトフレーム、及ライト外枠体を有する。そのうち、電球はライト台上に設置し、ライトフレームは電球に被せ且つライト台に設置する。更に複数個の穿孔を貫設し、ライト外枠体はライト台上に設置する。そしてライトフレームの穿孔に透光体を設置し、その透光体は透明材質で、球体状とする。
上述のライトフレームの穿孔の周辺には錐形状壁面を設置する。
上述の透光体は薄枠カバー体とする。
上述の透光体は、掛合部品もしくは点はんだ式または固定式とする。
【０００６】
図１、図２及び図３は本考案の第１実施例で、ライト台１は、その内赭に屈折面１１を設置する。
電球２は、ライト台１上に設置する。
ライトフレーム３は、電球２上に被せ、ライト台１に設置し、複数個の穿孔３１を貫設し、穿孔３１の周辺には錐形状壁３２を設置する。
【０００７】
ライト外枠体４は、ライト台１上に設置する。   
透光体５は、ライトフレーム３の穿孔３１上に設置し、この透光体５は透明材質で、且つ球体状の薄枠カバー体とする。透光体５のその球体状表面には掛合部品５１を設置する。
組立時、透光体５をライトフレーム３の穿孔３１内に設置し、透光体５の球体状表面の掛合部品５１をライトフレーム３に掛合し、ライトフレーム３をライト台１に設置する。更にライト外枠体４をライト台１上に被せる。
【０００８】
図４に示すとおり、ライト台１内の電球２をつけると、その電球２が発する光線は、ライト台１の内縁の屈折面１１を照射して屈折する。その屈折した光線は再びライトフレーム３の穿孔３１内に設置した透光体５から射出される。ライトフレーム３の周辺には錐形状壁３２が設置されているため、光線を錐形状壁３２に写し出し、更に光線を屈折させ、これらによって光線を集める効果を高め、電球２にＬＥＤ照射のような視覚効果が具わる。
【０００９】
図５に示すのは、本考案の第２実施例によるＬＥＤ視覚効果を具えた電球式カーライトであって、透光体５Ａとライトフレーム３Ａの別の組装方式で、透光体５Ａ上に設置した穿孔５１Ａに溶接棒で穿孔５１Ａを埋めて点はんだＤを形成させ、透光体５Ａをライトフレーム３Ａ上に固定する。
図６に示すのは、本考案の第３実施例によるＬＥＤ視覚効果を具えた電球式カーライトであって、透光体５Ｂとライトフレーム３Ｂの更に別の組立方式で、透光体５Ｂ上に穿孔５１Ｂを設置し、ライトフレーム３Ｂに設置した固定孔３１Ｂに相対する。穿孔５１Ｂ及び固定孔３１Ｂには固定部品３２Ｂを設置し、ライトフレーム３Ｂ上にこれを固定する。
【図面の簡単な説明】
【００１０】
【図１】本考案の第１実施例によるＬＥＤ視覚効果を具えた電球式カーライトの断面図である。
【図２】本考案の第１実施例によるＬＥＤ視覚効果を具えた電球式カーライトのライトフレーム及び透光体の部分拡大図である。
【図３】本考案の第１実施例によるＬＥＤ視覚効果を具えた電球式カーライトの正面図である。
【図４】本考案の第１実施例によるＬＥＤ視覚効果を具えた電球式カーライトの電球で透光体を照射した状態を示す模式図である。
【図５】本考案の第２実施例によるＬＥＤ視覚効果を具えた電球式カーライトにおいて、ライトフレーム及び透光体の部分拡大図である。
【図６】本考案の第３実施例によるＬＥＤ視覚効果を具えた電球式カーライトであって、ライトフレーム及び透光体の部分拡大図である。
【図７】公知のカーライトにＬＥＤライトを設置した模式図である。
【符号の説明】
【００１１】
１：ライト台、１１：屈折面、２：電球、３：ライトフレーム、３１：穿孔、３２：錐形状壁、４：ライト外枠体、５：透光体、５１：掛合部品、３Ａ：ライトフレーム、３Ｂ：ライトフレーム、３１Ｂ：固定孔、５Ａ：透光体、５Ｂ：透光体、５１Ａ：穿孔、５１Ｂ：穿孔、５２Ｂ：固定部品、Ｄ：はんだ点
【図１】
0003128143.tif 000003
【図２】
0003128143.tif 000004
【図３】
0003128143.tif 000005
【図４】
0003128143.tif 000006
【図５】
0003128143.tif 000007
【図６】
0003128143.tif 000008
【図７】
0003128143.tif 000009